(57)【要約】【課題】簡易な構成で、駆動回路の温度上昇をより確実に抑制することのできる技術を提供する。【解決手段】本発明の第１の態様は、複数の表示素子を有する表示部と、画面を分割して得られる複数の領域に対応する複数の駆動回路であって、夫々が対応する領域の表示素子を駆動する複数の駆動回路と、前記駆動回路毎に、その駆動回路に対応する領域に表示される画像が所定の条件を満たす画像か否かを判定する画像判定手段と、対応する領域に表示される画像が前記所定の条件を満たす画像であると判定された駆動回路が存在する場合に、当該駆動回路を含む１つ以上の駆動回路の温度上昇を抑制する抑制処理を実行する抑制手段と、を有することを特徴とする表示装置である。【選択図】図１
2014109618.tif 000002
【特許請求の範囲】
【請求項１】
複数の表示素子を有する表示部と、
画面を分割して得られる複数の領域に対応する複数の駆動回路であって、夫々が対応する領域の表示素子を駆動する複数の駆動回路と、
前記駆動回路毎に、その駆動回路に対応する領域に表示される画像が所定の条件を満たす画像か否かを判定する画像判定手段と、
対応する領域に表示される画像が前記所定の条件を満たす画像であると判定された駆動回路が存在する場合に、当該駆動回路を含む１つ以上の駆動回路の温度上昇を抑制する抑制処理を実行する抑制手段と、
を有することを特徴とする表示装置。
【請求項２】
前記抑制手段は、対応する領域に表示される画像が前記所定の条件を満たす画像であると判定された駆動回路が存在する場合に、当該駆動回路のみの温度上昇を抑制する抑制処理を実行する
ことを特徴とする請求項１に記載の表示装置。
【請求項３】
前記抑制手段は、駆動回路に対応する領域に表示される画像が前記所定の条件を満たす画像であると判定されてから第１の所定時間、当該駆動回路に対応する領域に前記所定の条件を満たす画像が表示され続けた場合に、当該駆動回路を含む１つ以上の駆動回路の温度上昇を抑制する抑制処理を実行する
ことを特徴とする請求項１または２に記載の表示装置。
【請求項４】
予め定められた複数の条件を記憶する記憶手段をさらに有し、
前記画像判定手段は、前記駆動回路毎に、その駆動回路に対応する領域に表示される画像が前記記憶手段に記憶されている条件を満たす画像か否かを判定し、
前記抑制手段は、対応する領域に表示される画像が前記記憶手段に記憶されている条件を満たす画像であると判定された駆動回路が存在する場合に、当該駆動回路を含む１つ以上の駆動回路の温度上昇を抑制する抑制処理を実行する
ことを特徴とする請求項１または２に記載の表示装置。
【請求項５】
前記記憶手段は、前記条件毎に、第１の所定時間をさらに記憶し、
前記抑制手段は、駆動回路に対応する領域に表示される画像が前記記憶手段に記憶されている条件を満たす画像であると判定されてから当該条件に対応する第１の所定時間、当該駆動回路に対応する領域に当該条件を満たす画像が表示され続けた場合に、当該駆動回路を含む１つ以上の駆動回路の温度上昇を抑制する抑制処理を実行する
ことを特徴とする請求項４に記載の表示装置。
【請求項６】
前記駆動回路毎に、その駆動回路を冷却する冷却ファンをさらに有し、
前記抑制処理は、対応する領域に表示される画像が前記所定の条件を満たす画像であると判定された駆動回路に対応する冷却ファンの回転数を高める処理を含む
ことを特徴とする請求項１〜５のいずれか１項に記載の表示装置。
【請求項７】
前記表示部は、発光手段と、前記発光手段からの光を透過する前記複数の表示素子を有する表示パネルと、を有し、
前記駆動回路は、前記表示素子の前記発光手段からの光の透過率を制御し、前記表示素子の透過率が高いほど温度上昇が激しくなる回路であり、
前記抑制処理は、対応する領域に表示される画像が前記所定の条件を満たす画像であると判定された駆動回路に対応する領域における表示素子の透過率を低減する処理を含む
ことを特徴とする請求項１〜６のいずれか１項に記載の表示装置。
【請求項８】
前記駆動回路毎に、その駆動回路を冷却する冷却ファンと、
音声の出力が行われるか否かを判定する音声判定手段と、
をさらに有し、
前記表示部は、発光手段と、前記発光手段からの光を透過する前記複数の表示素子を有する表示パネルと、を有し、
前記駆動回路は、前記表示素子の前記発光手段からの光の透過率を制御し、前記表示素子の透過率が高いほど温度上昇が激しくなる回路であり、
前記抑制手段は、
対応する領域に表示される画像が前記所定の条件を満たす画像であると判定された駆動回路が存在し、且つ、音声の出力が行われると判定された場合に、当該駆動回路に対応する領域における表示素子の透過率を低減する抑制処理を実行し、
対応する領域に表示される画像が前記所定の条件を満たす画像であると判定された駆動回路が存在し、且つ、音声の出力が行われないと判定された場合に、当該駆動回路に対応する冷却ファンの回転数を高める抑制処理を実行する
ことを特徴とする請求項１〜５のいずれか１項に記載の表示装置。
【請求項９】
前記抑制手段は、前記表示素子の透過率を低減したことによる画面の明るさの低下を補うように、前記発光手段の明るさを高める
ことを特徴とする請求項７または８に記載の表示装置。
【請求項１０】
対応する領域に表示される画像が前記所定の条件を満たす画像であると判定された駆動回路の温度上昇を抑制する抑制処理が開始されてから第２の所定時間、当該駆動回路に対応する領域に前記所定の条件を満たす画像が表示され続けた場合に、ユーザへの警告を行う警告手段をさらに有する
ことを特徴とする請求項１〜９のいずれか１項に記載の表示装置。
【請求項１１】
対応する領域に表示される画像が前記所定の条件を満たす画像であると判定された駆動回路の温度上昇を抑制する抑制処理が開始されてから第３の所定時間、当該駆動回路に対応する領域に前記所定の条件を満たす画像が表示され続けた場合に、当該駆動回路の温度の上昇がさらに抑制されるように、表示する画像に対して、表示色、表示輝度、及び、表示位置の少なくともいずれかを変更する変更処理を施す変更手段をさらに有する
ことを特徴とする請求項１〜１０のいずれか１項に記載の表示装置。
【請求項１２】
駆動回路に対応する領域に前記所定の条件を満たす画像が前記第２の所定時間表示され続けたことにより前記警告が行われてから第４の所定時間、当該駆動回路に対応する領域に前記所定の条件を満たす画像が表示され続けた場合に、当該駆動回路の温度の上昇がさらに抑制されるように、表示する画像に対して、表示色、表示輝度、及び、表示位置の少なくともいずれかを変更する変更処理を施す変更手段をさらに有する
ことを特徴とする請求項１０に記載の表示装置。
【請求項１３】
前記表示する画像が前記変更処理を適用可能な画像か否かを判定する処理判定手段をさらに有し、
前記変更手段は、前記処理判定手段で前記表示する画像が前記変更処理を適用可能な画像でないと判定された場合に、前記表示する画像に前記変更処理を施さない
ことを特徴とする請求項１１または１２に記載の表示装置。
【請求項１４】
前記処理判定手段は、画像を表示するアプリケーションの種類に応じて、前記表示する画像が前記変更処理を適用可能な画像か否かを判定する
ことを特徴とする請求項１３に記載の表示装置。
【請求項１５】
複数の表示素子を有する表示パネルと、
画面を分割して得られる複数の領域に対応する複数の駆動回路であって、夫々が対応する領域の表示素子を駆動する複数の駆動回路と、
前記複数の駆動回路のそれぞれの温度上昇を選択的に抑制する抑制処理を実行する抑制手段と、
を有することを特徴とする表示装置。
【請求項１６】
複数の表示素子を有する表示部と、
画面を分割して得られる複数の領域に対応する複数の駆動回路であって、夫々が対応する領域の表示素子を駆動する複数の駆動回路と、
を有する表示装置の制御方法であって、
前記駆動回路毎に、その駆動回路に対応する領域に表示される画像が所定の条件を満たす画像か否かを判定する画像判定ステップと、
対応する領域に表示される画像が前記所定の条件を満たす画像であると判定された駆動回路が存在する場合に、当該駆動回路を含む１つ以上の駆動回路の温度上昇を抑制する抑制処理を実行する抑制ステップと、
を有することを特徴とする表示装置の制御方法。
【請求項１７】
前記抑制ステップでは、対応する領域に表示される画像が前記所定の条件を満たす画像であると判定された駆動回路が存在する場合に、当該駆動回路のみの温度上昇を抑制する抑制処理が実行される
ことを特徴とする請求項１６に記載の表示装置の制御方法。
【請求項１８】
前記抑制ステップでは、駆動回路に対応する領域に表示される画像が前記所定の条件を満たす画像であると判定されてから第１の所定時間、当該駆動回路に対応する領域に前記所定の条件を満たす画像が表示され続けた場合に、当該駆動回路を含む１つ以上の駆動回路の温度上昇を抑制する抑制処理が実行される
ことを特徴とする請求項１６または１７に記載の表示装置の制御方法。
【請求項１９】
前記表示装置は、予め定められた複数の条件を記憶する記憶手段をさらに有し、
前記画像判定ステップでは、前記駆動回路毎に、その駆動回路に対応する領域に表示される画像が前記記憶手段に記憶されている条件を満たす画像か否かが判定され、
前記抑制ステップでは、対応する領域に表示される画像が前記記憶手段に記憶されている条件を満たす画像であると判定された駆動回路が存在する場合に、当該駆動回路を含む１つ以上の駆動回路の温度上昇を抑制する抑制処理が実行される
ことを特徴とする請求項１６または１７に記載の表示装置の制御方法。
【請求項２０】
前記記憶手段は、前記条件毎に、第１の所定時間をさらに記憶し、
前記抑制ステップでは、駆動回路に対応する領域に表示される画像が前記記憶手段に記憶されている条件を満たす画像であると判定されてから当該条件に対応する第１の所定時間、当該駆動回路に対応する領域に当該条件を満たす画像が表示され続けた場合に、当該駆動回路を含む１つ以上の駆動回路の温度上昇を抑制する抑制処理が実行される
ことを特徴とする請求項１９に記載の表示装置の制御方法。
【請求項２１】
前記表示装置は、前記駆動回路毎に、その駆動回路を冷却する冷却ファンをさらに有し、
前記抑制処理は、対応する領域に表示される画像が前記所定の条件を満たす画像であると判定された駆動回路に対応する冷却ファンの回転数を高める処理を含む
ことを特徴とする請求項１６〜２０のいずれか１項に記載の表示装置の制御方法。
【請求項２２】
前記表示部は、発光手段と、前記発光手段からの光を透過する前記複数の表示素子を有する表示パネルと、を有し、
前記駆動回路は、前記表示素子の前記発光手段からの光の透過率を制御し、前記表示素子の透過率が高いほど温度上昇が激しくなる回路であり、
前記抑制処理は、対応する領域に表示される画像が前記所定の条件を満たす画像であると判定された駆動回路に対応する領域における表示素子の透過率を低減する処理を含む
ことを特徴とする請求項１６〜２１のいずれか１項に記載の表示装置の制御方法。
【請求項２３】
前記表示装置は、前記駆動回路毎に、その駆動回路を冷却する冷却ファンをさらに有し、
前記表示装置の制御方法は、音声の出力が行われるか否かを判定する音声判定ステップをさらに有し、
前記表示部は、発光手段と、前記発光手段からの光を透過する前記複数の表示素子を有する表示パネルと、を有し、
前記駆動回路は、前記表示素子の前記発光手段からの光の透過率を制御し、前記表示素子の透過率が高いほど温度上昇が激しくなる回路であり、
前記抑制ステップでは、
対応する領域に表示される画像が前記所定の条件を満たす画像であると判定された駆動回路が存在し、且つ、音声の出力が行われると判定された場合に、当該駆動回路に対応する領域における表示素子の透過率を低減する抑制処理が実行され、
対応する領域に表示される画像が前記所定の条件を満たす画像であると判定された駆動回路が存在し、且つ、音声の出力が行われないと判定された場合に、当該駆動回路に対応する冷却ファンの回転数を高める抑制処理が実行される
ことを特徴とする請求項１６〜２０のいずれか１項に記載の表示装置の制御方法。
【請求項２４】
前記抑制ステップでは、前記表示素子の透過率を低減したことによる画面の明るさの低下を補うように、前記発光手段の明るさが高められる
ことを特徴とする請求項２２または２３に記載の表示装置の制御方法。
【請求項２５】
対応する領域に表示される画像が前記所定の条件を満たす画像であると判定された駆動回路の温度上昇を抑制する抑制処理が開始されてから第２の所定時間、当該駆動回路に対応する領域に前記所定の条件を満たす画像が表示され続けた場合に、ユーザへの警告を行う警告ステップをさらに有する
ことを特徴とする請求項１６〜２４のいずれか１項に記載の表示装置の制御方法。
【請求項２６】
対応する領域に表示される画像が前記所定の条件を満たす画像であると判定された駆動回路の温度上昇を抑制する抑制処理が開始されてから第３の所定時間、当該駆動回路に対応する領域に前記所定の条件を満たす画像が表示され続けた場合に、当該駆動回路の温度の上昇がさらに抑制されるように、表示する画像に対して、表示色、表示輝度、及び、表示位置の少なくともいずれかを変更する変更処理を施す変更ステップをさらに有する
ことを特徴とする請求項１６〜２５のいずれか１項に記載の表示装置の制御方法。
【請求項２７】
駆動回路に対応する領域に前記所定の条件を満たす画像が前記第２の所定時間表示され続けたことにより前記警告が行われてから第４の所定時間、当該駆動回路に対応する領域に前記所定の条件を満たす画像が表示され続けた場合に、当該駆動回路の温度の上昇がさらに抑制されるように、表示する画像に対して、表示色、表示輝度、及び、表示位置の少なくともいずれかを変更する変更処理を施す変更ステップをさらに有する
ことを特徴とする請求項２５に記載の表示装置の制御方法。
【請求項２８】
前記表示する画像が前記変更処理を適用可能な画像か否かを判定する処理判定ステップをさらに有し、
前記変更ステップでは、前記処理判定ステップで前記表示する画像が前記変更処理を適用可能な画像でないと判定された場合に、前記表示する画像に前記変更処理を施さない
ことを特徴とする請求項２６または２７に記載の表示装置の制御方法。
【請求項２９】
前記処理判定ステップでは、画像を表示するアプリケーションの種類に応じて、前記表示する画像が前記変更処理を適用可能な画像か否かを判定する
ことを特徴とする請求項２８に記載の表示装置の制御方法。
【請求項３０】
複数の表示素子を有する表示パネルと、
画面を分割して得られる複数の領域に対応する複数の駆動回路であって、夫々が対応する領域の表示素子を駆動する複数の駆動回路と、
を有する表示装置の制御方法であって、
前記複数の駆動回路のうちの少なくとも１つの駆動回路を選択する選択ステップと、
前記選択ステップで選択された駆動回路の温度上昇を抑制する抑制処理を実行する抑制ステップと、
を有することを特徴とする表示装置の制御方法。
【発明の詳細な説明】
【技術分野】
【０００１】
本発明は、表示装置及びその制御方法に関する。
【背景技術】
【０００２】
液晶表示装置は、画面を分割して得られる領域毎に、当該領域の液晶素子を駆動する液晶ドライバＩＣ（駆動回路）を有する。特定の条件を満たす画像（例えば、白色の単色画像、１つの四角形のサイズが１ドット×１ドットのチェッカー盤柄画像など）を表示する場合、液晶ドライバＩＣ及び液晶パネルの電力消費量が著しく上昇する。そのため、液晶ドライバＩＣの温度上昇が激しくなる。液晶ドライバＩＣの温度が高温になると、当該液晶ドライバが故障したり誤作動したりする虞がある。そのため、液晶ドライバＩＣの温度上昇が激しくなる場合には、当該液晶ドライバの温度上昇を抑制する必要がある。液晶ドライバＩＣの温度上昇は、大規模な放熱部材を用いたり、多数の温度センサを用いた制御を行ったりすることで抑制することができる。
しかしながら、そのような方法は、表示装置の大型化やコストの増大を招いてしまう。
【０００３】
また、入力画像信号に応じて消費電力や温度上昇を抑制する技術もある。例えば、入力画像信号に応じて消費電力や温度上昇を抑制する技術として、ＡＰＣ（Ａｕｔｏ  Ｐｏｗｅｒ  Ｃｏｎｔｒｏｌ）やＡＢＬ（Ａｕｔｏｍａｔｉｃａｌｌｙ  Ｂｒｉｇｈｔｎｅｓｓ
Ｌｉｍｉｔ）を用いた技術がある。具体的には、プラズマディスプレイ装置では、入力画像信号の平均輝度レベル（ＡＰＬ）に応じて、発光回数（１フレーム期間を分割して得られるサブフィールド期間内に印加される放電維持パルスの合計数）を制限する技術がある。発光回数を制限することにより、発光輝度が制限され、消費電力や温度上昇を抑制することができる。この技術を応用した従来技術は、例えば、特許文献１に開示されている。
【０００４】
しかしながら、上述した従来技術では、液晶ドライバＩＣに対応する領域と無関係な領域の平均輝度レベルが用いられる。そのため、入力画像信号が一部に特定の条件を満たす領域を含む画像（例えば、白色を含む自然画や読影画像など）の信号である場合の場合に、白色の画像が表示される領域に対応する液晶ドライバＩＣの消費電力や温度上昇を検知し抑制することができない。
【先行技術文献】
【特許文献】
【０００５】
【特許文献１】国際公開第０８／０６６００５号
【発明の概要】
【発明が解決しようとする課題】
【０００６】
本発明は、簡易な構成で、駆動回路の温度上昇をより確実に抑制することのできる技術を提供することを目的とする。
【課題を解決するための手段】
【０００７】
本発明の第１の態様は、
複数の表示素子を有する表示部と、
画面を分割して得られる複数の領域に対応する複数の駆動回路であって、夫々が対応する領域の表示素子を駆動する複数の駆動回路と、
前記駆動回路毎に、その駆動回路に対応する領域に表示される画像が所定の条件を満たす画像か否かを判定する画像判定手段と、
対応する領域に表示される画像が前記所定の条件を満たす画像であると判定された駆動回路が存在する場合に、当該駆動回路を含む１つ以上の駆動回路の温度上昇を抑制する抑制処理を実行する抑制手段と、
を有することを特徴とする表示装置である。
本発明の第２の態様は、
複数の表示素子を有する表示パネルと、
画面を分割して得られる複数の領域に対応する複数の駆動回路であって、夫々が対応する領域の表示素子を駆動する複数の駆動回路と、
前記複数の駆動回路のそれぞれの温度上昇を選択的に抑制する抑制処理を実行する抑制手段と、
を有することを特徴とする表示装置である。
【０００８】
本発明の第３の態様は、
複数の表示素子を有する表示部と、
画面を分割して得られる複数の領域に対応する複数の駆動回路であって、夫々が対応する領域の表示素子を駆動する複数の駆動回路と、
を有する表示装置の制御方法であって、
前記駆動回路毎に、その駆動回路に対応する領域に表示される画像が所定の条件を満たす画像か否かを判定する画像判定ステップと、
対応する領域に表示される画像が前記所定の条件を満たす画像であると判定された駆動回路が存在する場合に、当該駆動回路を含む１つ以上の駆動回路の温度上昇を抑制する抑制処理を実行する抑制ステップと、
を有することを特徴とする表示装置の制御方法である。
本発明の第４の態様は、
複数の表示素子を有する表示パネルと、
画面を分割して得られる複数の領域に対応する複数の駆動回路であって、夫々が対応する領域の表示素子を駆動する複数の駆動回路と、
を有する表示装置の制御方法であって、
前記複数の駆動回路のうちの少なくとも１つの駆動回路を選択する選択ステップと、
前記選択ステップで選択された駆動回路の温度上昇を抑制する抑制処理を実行する抑制ステップと、
を有することを特徴とする表示装置の制御方法である。
【発明の効果】
【０００９】
本発明によれば、簡易な構成で、駆動回路の温度上昇をより確実に抑制することができる。
【図面の簡単な説明】
【００１０】
【図１】実施例１に係る表示装置の機能構成の一例を示すブロック図
【図２】制御領域の一例を示す図
【図３】条件と第１の所定時間の一例を示す図
【図４】実施例１に係る制御部の動作の一例を示すフローチャート
【図５】入力画像信号の一例を示す図
【図６】入力画像信号の一例を示す図
【図７】実施例１に係る抑制処理の一例を示すフローチャート
【図８】制御領域と画像の関係の一例を示す図
【図９】制御領域と画像の関係の一例を示す図
【図１０】制御領域と画像の関係の一例を示す図
【図１１】実施例２に係る表示装置の機能構成の一例を示すブロック図
【図１２】実施例２に係る抑制処理等の一例を示すフローチャート
【発明を実施するための形態】
【００１１】
＜実施例１＞
以下、図面を参照しながら本発明の実施例１に係る表示装置及びその制御方法について説明する。なお、本実施例では、表示装置が、バックライトと液晶パネルを有する液晶表示装置である場合の例を説明するが、表示装置は液晶表示装置に限らない。例えば、液晶パネルの代わりに、バックライトからの光を透過する表示素子として液晶素子以外の表示素子を有する表示パネルが用いられてもよい。また、バックライトと液晶パネルの代わりに、バックライトを用いない表示部が用いられてもよい。具体的には、バックライトと液晶パネルの代わりに、表示素子として有機ＥＬ素子（カラーフィルタを有する有機ＥＬ素子）を有する有機ＥＬディスプレイパネル、表示素子としてプラズマ素子を有するプラズマディスプレイパネルなどが用いられてもよい。
【００１２】
図１は、実施例１に係る表示装置の機能構成の一例を示すブロック図である。図１に示すように、本実施例に係る表示装置１０１は、信号受信部１０２、画像処理部１０３、複数のファン１０４、バックライト制御部１０５、複数の液晶駆動回路１０６、液晶パネル１０７、バックライト１０８、不揮発メモリ１０９、画像信号解析部１１０、制御部１１１を備える。
【００１３】
信号受信部１０２は、表示装置外部から入力画像信号を受信し、画像信号解析部１１０と画像処理部１０３へ入力画像信号を転送する。信号受信部１０２は、例えば、ＤｉｓｐｌａｙＰｏｒｔケーブル、ＤＶＩケーブル、ＨＤＭＩケーブル、ＳＤＩケーブルなどを介して入力画像信号を受信する。
【００１４】
画像処理部１０３は、信号受信部１０２から入力画像信号を受信し、入力画像信号に対して画像を表示するために必要な画像処理を施す。なお、画像処理部１０３は、制御部１１１からの指示に従い画像処理の内容や強弱などを適宜変更しながら処理を行う。
【００１５】
ファン１０４は、液晶駆動回路１０６を冷却する冷却ファンである。ファン１０４は、制御部１１１からの指示を受け、回転する。ファン１０４が回転することにより、液晶駆動回路１０６が冷却される。本実施例では、液晶駆動回路毎に、その駆動回路を冷却するファン１０４が用意されている。
【００１６】
バックライト制御部１０５は、バックライト１０８（発光部）を点灯させる。具体的には、バックライト制御部１０５は、制御部１１１から目標輝度値を受信し、目標輝度値からＰＷＭ制御値を算出する。そして、バックライト制御部１０５は、算出したＰＷＭ制御値でバックライト１０８の光源を駆動することにより、バックライト１０８を目標輝度値で点灯させる。
【００１７】
複数の液晶駆動回路１０６は、画面を分割して得られる複数の領域に対応する複数の駆動回路（液晶ドライバＩＣ）であって、各々が対応する領域の表示素子を駆動する複数の駆動回路である。液晶駆動回路１０６は、画像処理部１０３からの画像信号（画像処理が施された入力画像信号）から、液晶パネル１０７に供給する液晶駆動信号を生成する。具体的には、液晶駆動回路１０６は、対応する領域の画像信号から、当該領域における表示素子（液晶パネル１０７が有する液晶素子）に供給する液晶駆動信号を生成する。本実施例では、図２に示すように、画面を短冊状に分割して得られる複数の領域（制御領域）に対応する複数の液晶駆動回路１０６が用意されている。液晶駆動信号によって、液晶駆動回路１０６の消費電力が決まる。
なお、図２の例では、複数の制御領域のサイズは互いに等しいが、制御領域間でサイズが異なっていてもよい。
また、制御領域は画面を短冊状に分割して得られる領域に限らない。例えば、制御領域は、画面をマトリクス状に分割して得られる領域であってもよい。
【００１８】
液晶パネル１０７は、バックライト１０８からの光を透過する複数の表示素子（液晶素子）を有する透過型液晶パネルである。具体的には、液晶パネル１０７は、偏光板、ガラス基板、拡散板、カラーフィルタ、透明導電膜（対向電極）、配向膜、液晶素子、駆動トランジスタ（画素電極）、プリズムシートなどを有する。液晶駆動回路１０６から駆動トランジスタへ液晶駆動信号が供給されることにより、表示素子のバックライト１０８からの光の透過率が制御される。即ち、本実施例では、液晶駆動回路１０６により表示素子の透過率が制御される。そして、表示素子の透過率が高いほど液晶駆動回路１０６の消費電力が高くなり、温度上昇が激しくなる。
【００１９】
バックライト１０８は、液晶パネル１０７の背面に光を照射する。本実施例では、バックライト１０８は、画面を分割して得られる分割領域毎に発光輝度を制御可能な構成を有する。具体的には、バックライト１０８は、画面を水平方向にａ等分、垂直方向にｂ等分して得られるａ×ｂ個の分割領域に対応するａ×ｂ個のブロックで構成される。１つのブロックは、１つまたは複数の光源を有し、液晶パネル１０７の背面の対応する分割領域に光を照射する。光源は、ＬＥＤ、冷陰極管、有機ＥＬ素子などである。
バックライト制御部１０５は、制御部１１１からａ×ｂ個のブロック分の目標輝度値を受信し、ａ×ｂ個のブロック分のＰＷＭ制御値を算出する。そして、バックライト制御部１０５は、ブロック毎に上記算出したＰＷＭ制御値で光源を駆動することにより、各ブロックの発光輝度を個別に制御する。
【００２０】
不揮発メモリ１０９は、予め定められた複数の条件を記憶する。また、不揮発メモリ１０９は、条件毎に第１の所定時間をさらに記憶する。例えば、不揮発メモリには、条件毎に第１の所定時間を表すテーブルが記憶されている。図３は、不揮発メモリが記憶する情報（テーブル）の一例を示す図である。上記条件は、液晶駆動回路１０６の温度上昇が激しくなる画像の条件であり、例えば液晶駆動回路１０６の消費電力が所定値以上となる画像の条件である。第１の所定時間は、当該第１の時間に対応する条件を満たす画像の表示の許容時間である。換言すれば、第１の所定時間は、当該第１の時間に対応する条件を満たす画像の表示による液晶駆動回路１０６の温度上昇の許容時間である。図３の例では、白色の単色画像は１５秒間表示することが許容されている。
また、不揮発メモリ１０９は、液晶駆動回路１０６の数（本実施例ではｎ個）、液晶パネル１０７の解像度（水平×垂直サイズ）などの情報を保持する。
【００２１】
画像信号解析部１１０は、液晶駆動回路毎に、その液晶駆動回路に対応する制御領域に表示される画像が所定の条件（不揮発メモリ１０９に記憶されている条件）を満たす画像か否かを判定する（画像判定）。本実施例では、画像信号解析部１１０は、不揮発メモリ１０９から、条件と第１の所定時間との対応表、液晶駆動回路１０６の数、液晶パネル１０７の解像度を読み出す。画像信号解析部１１０は、信号受信部１０２から送られた入力画像信号を制御領域毎の画像信号に分割する。そして、画像信号解析部１１０は、制御領域毎に、その制御領域の画像信号が、不揮発メモリ１０９に記憶されている条件を満たす画像の信号か否かを判定する。ここで、制御領域は、始点座標の水平方向位置Ｘと垂直方向位置Ｙ、制御領域の水平サイズＷ、及び、制御領域の垂直サイズＨから判断される。Ｘ、Ｙ、Ｗ、Ｈは以下の式により算出される。以下の式において、Ｃｘ（ｘは１以上ｎ以下の整数）は、判断対象の制御領域の番号であり、１以上ｎ以下の値を取る。具体的には、最も左（左から１番目）の制御領域の番号Ｃ１は１であり、左から２番目の制御領域の番号Ｃ２は２であり、左からｎ番目の制御領域の番号Ｃｎはｎである。
Ｘ＝液晶パネルの水平サイズ÷ｎ×（Ｃｘ−１）
Ｙ＝０
Ｗ＝液晶パネルの水平サイズ÷ｎ
Ｈ＝液晶パネルの垂直サイズ
画像信号解析部１１０は、対応する制御領域に表示される画像が不揮発メモリ１０９に記憶されている条件を満たす画像であると判定した場合に、当該制御領域の番号と当該条件に対応する第１の所定時間とを、制御部１１１に通知する。画像信号解析部１１０は、全ての液晶駆動回路について、対応する制御領域に表示される画像が不揮発メモリ１０９に記憶されている条件を満たす画像であると判定しなかった場合には、その旨を制御部１１１に通知する。
なお、上記画像判定は繰り返し行われる。例えば、画像判定は入力画像信号の１又は複数フレーム毎に行われる。
【００２２】
制御部１１１は、画像処理部１０３に対し画像処理実行指示を行う。画像処理実行指示は、画像処理の度合いや種類を含む。制御部１１１は、入力画像信号からａ×ｂ個のブロック分の目標輝度値を算出し、バックライト制御部１０５へ通知する。
また、制御部１１１は、液晶駆動回路に対応する制御領域に表示される画像が不揮発メモリ１０９に記憶されている条件を満たす画像であると判定されてから当該条件に対応する第１の所定時間、当該液晶駆動回路に対応する制御領域に当該条件を満たす画像が表示され続けた場合に、抑制処理を実行する。本実施例では、抑制処理は、対応する制御領域に表示される画像が不揮発メモリ１０９に記憶されている条件（所定の条件）を満たす画像であると判定された液晶駆動回路のみの温度上昇を抑制する処理である。
具体的には、制御部１１１は、画像信号解析部１１０から制御領域の番号Ｃｘと、第１の所定時間とを受けとる。そして、制御部１１１は、それらの情報の受信時から第１の所定時間、番号Ｃｘの制御領域に当該第１の所定時間に対応する条件を満たす画像が表示され続けた場合に、抑制処理を行う。本実施例では、抑制処理として、対応する制御領域に表示される画像が所定の条件を満たす画像であると判定された液晶駆動回路（番号Ｃｘの制御領域に対応する液晶駆動回路）に対応するファン１０４のみの回転数を高める処理を行う。
制御領域に所定の条件を満たす画像が表示され続けているか否かは、画像信号解析部１１０の画像判定の結果から判断することができる。
抑制処理を行うのは、対応する制御領域に所定の条件を満たす画像が表示されると、液晶駆動回路の温度上昇が激しくなるためである。
なお、抑制処理は、液晶駆動回路に対応する制御領域に表示される画像が所定の条件を満たす画像であると判定されたタイミングで開始されてもよい。
なお、抑制処理は、対応する制御領域に表示される画像が所定の条件を満たす画像であると判定された液晶駆動回路を含む複数の液晶駆動回路の温度上昇を抑制する処理であってもよい。例えば、抑制処理は、対応する制御領域に表示される画像が所定の条件を満たす画像であると判定された液晶駆動回路に対応するファン１０４を含む複数のファン１０４の回転数を高める処理であってもよい。
【００２３】
図４は、制御部１１１の動作の一例を示すフローチャートである。図４は、１つの制御領域に対する制御部１１１の動作を示す。制御部１１１は、制御領域毎に図４の処理を行う。なお、制御領域毎の処理は並列に行われる。
制御部１１１は、入力画像信号が有る場合（Ｓ４０１）、常に画像信号解析部１１０からの通知を受信可能な状態となる。そして、入力画像信号が有る場合、Ｓ４０２〜Ｓ４０５の処理が繰り返し行われる。
制御部１１１は、画像信号解析部１１０からの通知を受けると（Ｓ４０２：Ｙｅｓ）、Ｓ４０３の処理を行う。
Ｓ４０３では、制御部１１１は、通知内容から、処理対象の制御領域に表示される画像
が所定の条件を満たす画像であるか否かを判断する。具体的には、制御部１１１は、通知内容に処理対象の制御領域の番号Ｃｘが含まれているか否かを判断する。処理対象の制御領域に表示される画像が所定の条件を満たす画像である場合には、Ｓ４０５へ処理が進められる。そうでない場合には、Ｓ４０４へ処理が進められる。
Ｓ４０５では、制御部１１１は、処理対象の制御領域に対応する液晶駆動回路の温度上昇を抑制する抑制処理（Ｓ４０５）を実行する。
Ｓ４０４では、制御部１１１は、処理対象の制御領域に対応する液晶駆動回路の温度上昇を抑制する抑制処理を中断する。処理対象の制御領域に対応する液晶駆動回路の温度上昇を抑制する抑制処理の実行中でない場合は、Ｓ４０４では何も行われない。
【００２４】
図５の画像を表示する場合（図５の画像が表示装置に入力され続ける場合）の画像信号解析部１１０、制御部１１１、ファン１０４の動作の具体例を説明する。図５は、赤色の矩形領域（横長の矩形領域）、黄色の矩形画像、白色の矩形領域、黒色の矩形領域、緑色の矩形領域、青色の矩形領域が上からその順番で並んだ横縞模様の画像である。
【００２５】
画像信号解析部１１０は、入力画像信号を受信すると、不揮発メモリ１０９から図３に示す対応表、液晶駆動回路１０６の数ｎ、液晶パネル１０７の解像度（水平サイズＨ、垂直サイズＷ）を読み出す。
制御部１１１は、入力画像信号が有る場合（Ｓ４０１）、常に画像信号解析部１１０からの通知を受信可能な状態となる。
【００２６】
画像信号解析部１１０は、信号受信部１０２から送られた入力画像信号を、制御領域毎の画像信号に分割する。そして、画像信号解析部１１０は、制御領域毎に、その制御領域の画像信号が、不揮発メモリ１０９に記憶されている条件を満たす画像の信号か否かを判定する。
図３の対応表では、「全白（白１００％）」、「白９０％」、「白８０％」、「１×１Ｄｏｔチェッカー」、「４×４Ｄｏｔチェッカー」の５つの条件が用意されている。「全白（白１００％）」は、制御領域に表示される画像が白１００％画像（白色の単色画像）であるという条件である。「白９０％」は、制御領域に表示される画像が白９０％画像（制御領域の面積に対する白色の領域の面積の割合が９０％以上１００％未満の画像）であるという条件である。「白８０％」は、制御領域に表示される画像が白８０％画像（当該制御領域の面積に対する白色の領域の面積の割合が８０％以上９０％未満の画像）であるという条件である。「１×１Ｄｏｔチェッカー」は、制御領域に表示される画像が１×１Ｄｏｔチェッカー画像（１つの四角形のサイズが１ドット×１ドットのチェッカー盤柄画像）であるという条件である。「４×４Ｄｏｔチェッカー」は、制御領域に表示される画像が４×４Ｄｏｔチェッカー画像（１つの四角形のサイズが４ドット×４ドットのチェッカー盤柄画像）であるという条件である。なお、条件は図３に示す条件に限らない。条件として１つの条件が予め定められていてもよい。液晶駆動回路の温度上昇が激しくなる画像の条件であれば、どのような条件であってもよい。
入力画像信号が図５に示すような画像の信号である場合、制御領域と画像の関係は図８に示す関係となる。そのため、画像信号解析部１１０は、全ての制御領域について、制御領域の画像信号が所定の条件を満たす画像の信号でないと判定する。そして、画像信号解析部１１０は、所定の条件を満たす画像が表示される制御領域が存在しないこと（番号Ｃｘを含まない情報）を、制御部１１１に対して通知する。
【００２７】
制御部１１１は、画像信号解析部１１０からの通知を受ける（Ｓ４０２）。そして、通知内容に番号Ｃｘが含まれていないため（Ｓ４０３：Ｎｏ）、Ｓ４０４に処理が進められる。Ｓ４０５では、制御部１１１は、抑制処理実行中である場合に抑制処理を中断し、抑制処理実行中でない場合には何も処理を行わない。
入力画像信号の入力が無くなった場合には、Ｓ４０４の後に本フローが終了され、入力
画像信号が入力されている場合には、Ｓ４０４の後にＳ４０２に処理が戻される。
制御部１１１では、全ての制御領域についてこれらの処理が行われる。
【００２８】
図６の画像を表示する場合の画像信号解析部１１０、制御部１１１、ファン１０４の動作の具体例を説明する。図６は、赤色の矩形領域（縦長の矩形領域）、黄色の矩形画像、白色の矩形領域、黒色の矩形領域、緑色の矩形領域、青色の矩形領域が左からその順番で並んだ縦縞模様の画像である。
【００２９】
画像信号解析部１１０は、入力画像信号を受信すると、不揮発メモリ１０９から図３に示す対応表、液晶駆動回路１０６の数ｎ、液晶パネル１０７の解像度（水平サイズＨ、垂直サイズＷ）を読み出す。
制御部１１１は、入力画像信号が有る場合（Ｓ４０１）、常に画像信号解析部１１０からの通知を受信可能な状態となる。
【００３０】
画像信号解析部１１０は、信号受信部１０２から送られた入力画像信号を、制御領域毎の画像信号に分割する。そして、画像信号解析部１１０は、制御領域毎に、その制御領域の画像信号が、不揮発メモリ１０９に記憶されている条件を満たす画像の信号か否かを判定する。図９の破線は、左からｘ番目の制御領域を示している。図９の例では、左からｘ番目の制御領域に表示される画像は条件「全白（白１００％）」を満たす。そのため、画像信号解析部１１０は、図３の対応表を参照し、番号「Ｃｘ」と、条件「全白（白１００％）」に対応する第１時間「１５秒」とを、制御部１１１に対して通知する。
【００３１】
制御部１１１は、番号Ｃｘの制御領域以外の制御領域については、図５の画像を用いて説明した処理と同様の処理を行う。即ち、番号Ｃｘの制御領域以外の制御領域については、抑制処理は行われない。
以下、番号Ｃｘの制御領域についての制御部１１１の処理について説明する。
制御部１１１は、画像信号解析部１１０からの通知を受ける（Ｓ４０２）。そして、通知内容に番号Ｃｘが含まれているため（Ｓ４０３：Ｙｅｓ）、Ｓ４０５に処理が進められ、抑制処理が行われる。
入力画像信号の入力が無くなった場合には、Ｓ４０５の後に本フローが終了され、入力画像信号が入力されている場合には、Ｓ４０５の後にＳ４０２に処理が戻される。
【００３２】
なお、白色を含む縦縞模様の画像を表示する場合に必ず抑制処理が行われるとは限らない。例えば、図１０のように、左からｘ番目の制御領域と左からｘ＋１番目の制御領域とを跨ぐ領域の色が白色である場合がある。そして、図１０の例では、左からｘ番目の制御領域の一部（８０％未満）だけが白色であり、左からｘ＋１番目の制御領域の一部（８０％未満）だけが白色である。そのため、図１０のような画像を表示する場合には、所定の条件を満たす画像が表示される制御領域が存在しないと判定される。そして、制御部１１１は、全ての制御領域について、図５の画像を用いて説明した処理と同様の処理を行う。即ち、全ての制御領域について、抑制処理は行われない。
【００３３】
Ｓ４０５の抑制処理について図７を用いて詳しく説明する。図７は、図９の番号Ｃｘの制御領域についての抑制処理の一例を示すフローチャートである。
制御部１１１は、画像信号解析部１１０からの通知内容に従って、第１の所定時間である１５秒のカウントを開始する（Ｓ７０１）。制御部１１１は、カウント中にも画像信号解析部１１０からの通知を受信する。そして、処理対象の制御領域に所定の条件を満たす画像が表示され続けている場合には、制御部１１１はカウントを続ける。具体的には、番号Ｃｘの制御領域に条件「全白（白１００％）」を満たす画像が表示され続けている場合には、制御部１１１はカウント続ける。処理対象の制御領域に所定の条件を満たす画像が表示されなくなった場合には、カウント値のリセット及びカウントの中断が行われ、Ｓ４
０５の処理が終了される。
【００３４】
カウントが完了すると、制御部１１１は、処理対象の制御領域（番号Ｃｘの制御領域）に対応する液晶駆動回路の温度上昇を抑制するために、当該液晶駆動回路に対応するファンに回転数を高める指示を行う（Ｓ７０２）。
これにより、番号Ｃｘの制御領域に対応する液晶駆動回路の温度上昇が激しくなることを抑制することができる。
【００３５】
なお、本実施例では、所定の条件を満たす画像が表示される制御領域以外の制御領域については、制御部１１１に対して何も通知されず、ファンの回転数を高める処理も行われない。
なお、処理対象の制御領域について一度ファンの回転数を高めた後は、当該制御領域に所定の条件を満たす画像が表示されなくなるまで、ファンの回転数が維持される。処理対象の制御領域に所定の条件を満たす画像が表示されなくなると、Ｓ４０４の処理により、ファンの回転数が元の回転数に低減される。
【００３６】
本実施例によれば、複数の駆動回路のそれぞれの温度上昇を選択的に抑制する抑制処理が実行される。具体的には、駆動回路毎に、その駆動回路に対応する領域に表示される画像が所定の条件を満たす画像か否かが判定される。そして、対応する領域に表示される画像が所定の条件を満たす画像であると判定された駆動回路が存在する場合に、当該駆動回路を含む１つ以上の駆動回路の温度上昇を抑制する抑制処理が実行される。それにより、駆動回路の温度上昇をより確実に抑制することができ、表示装置の信頼性を高めることができる。具体的には、入力画像信号が一部に所定の条件を満たす領域を含む画像の信号である場合の場合であっても、駆動回路に対応する領域に表示される画像が所定の条件を満たす画像である場合には、当該駆動回路の温度上昇を抑制することができる。
また、本実施例によれば、大規模な放熱部材や多数の温度センサを用いる必要がないため、簡易な構成で上記効果を得ることができ、表示装置を小型化させることができる。
【００３７】
なお、本実施例では、入力画像信号として図５や図６に示す画像の信号の例を示したが、入力画像信号は自然画、読影画像、映画等の信号であってもよく、特に限定されない。
【００３８】
なお、本実施例では、対応する領域に表示される画像が所定の条件を満たす画像であると判定された駆動回路が存在する場合に、当該駆動回路のみの温度上昇を抑制する抑制処理を実行する例を示した。具体的には、対応する領域に表示される画像が所定の条件を満たす画像であると判定された駆動回路が存在する場合に、当該駆動回路に対応するファンのみの回転数を高める例を示した。しかし、本発明はこれに限らない。例えば、対応する領域に表示される画像が所定の条件を満たす画像であると判定された駆動回路が存在する場合に、全ての駆動回路の温度上昇を抑制する抑制処理を実行してもよい。具体的には、対応する領域に表示される画像が所定の条件を満たす画像であると判定された駆動回路が存在する場合に、全てのファンの回転数を高めてもよい。
【００３９】
なお、本実施例では抑制処理がファンの回転数を高める処理である場合の例を示したが、抑制処理はこれに限らない。例えば、抑制処理は、対応する領域に表示される画像が所定の条件を満たす画像であると判定された駆動回路（判定駆動回路）に対応する領域における表示素子の透過率（開口率）を低減する処理であってもよい（Ｓ７０３）。具体的には、制御部１１１は、判定駆動回路が存在する場合に、少なくとも判定駆動回路に対応する領域における表示素子の透過率が低減されるように入力画像信号を変換する指示を画像処理部１０３に送ってもよい。このとき、制御部１１１は、表示素子の透過率を低減したことによる画面の明るさの低下を補うように、バックライトの明るさを高める（目標輝度値を調整する）ことが好ましい。それにより、抑制処理を行うことによる画質の劣化を抑
制することができる。液晶駆動回路に対応する領域における表示素子の透過率を低減することにより、当該液晶駆動回路の電力消費量を低減することができ、当該液晶駆動回路の温度上昇を抑制することができる。
なお、ファンの回転数を高める処理と、表示素子の透過率を低減する処理との両方が行われてもよい。
【００４０】
＜実施例２＞
以下、図面を参照しながら本発明の実施例２に係る表示装置及びその制御方法について説明する。なお、実施例１と同様の機能等については、説明を省略する。
【００４１】
図１１は、実施例２に係る表示装置の機能構成の一例を示すブロック図である。図１１に示すように、本実施例に係る表示装置１１０１は、信号受信部１１０２、画像処理部１１０３、複数のファン１１０４、バックライト制御部１１０５、複数の液晶駆動回路１１０６、液晶パネル１１０７、バックライト１１０８、不揮発メモリ１１０９、画像信号解析部１１１０、制御部１１１１、音声出力部１１１２、通信制御部１１１３、アプリ判定部１１１４、警告表示部１１１５、変更処理部１１１６を備える。
【００４２】
信号受信部１１０２は、実施例１の信号受信部１０２の機能の他に、入力画像信号と共に音声信号が入力された場合に、当該音声信号を音声出力部１１１２へ送信する機能を有する。
画像処理部１１０３は、画像処理部１０３と同じ機能を有する。
ファン１１０４は、ファン１０４と同じ機能を有する。
バックライト制御部１１０５は、バックライト制御部１０５と同じ機能を有する。
液晶駆動回路１１０６は、液晶駆動回路１０６と同じ機能を有する。
液晶パネル１１０７は、液晶パネル１０７と同じ機能を有する。
バックライト１１０８は、バックライト１０８と同じ機能を有する。
不揮発メモリ１１０９は、不揮発メモリ１０９と同じ機能を有する。
画像信号解析部１１１０は、画像信号解析部１１０と同じ機能を有する。
【００４３】
制御部１１１１は、音声の出力が行われるか否かを判定する。例えば、制御部１１１１は、入力画像信号と共に音声信号が入力された場合には、音声の出力が行われると判定し、入力画像信号と共に音声信号が入力されなかった場合には、音声の出力が行われないと判定する。そして、制御部１１１１は、対応する制御領域に表示される画像が所定の条件を満たす画像であると判定された液晶駆動回路が存在し、且つ、音声の出力が行われると判定された場合に、当該液晶駆動回路に対応する制御領域における表示素子の透過率を低減する抑制処理を実行する。また、制御部１１１１は、対応する制御領域に表示される画像が所定の条件を満たす画像であると判定された液晶駆動回路が存在し、且つ、音声の出力が行われないと判定された場合に、当該液晶駆動回路に対応するファンの回転数を高める抑制処理を実行する。
なお、音声の出力が行われるか否かの判定は制御部１１１１以外の機能部（例えば、不図示の音声判定部）により行われてもよい。
【００４４】
音声出力部１１１２は、信号受信部１１０２からの音声信号に応じて音声を外部へ出力する。リップシンク等の音声を再生する際に行う制御に関しては、既知の技術を使用するものとし、説明を省略する。
【００４５】
通信制御部１１１３には、外部機器から、入力画像信号を生成する際に実行されていた画像表示アプリの情報（内容）が通知される。画像表示アプリは、画像を表示するアプリケーションである。通信制御部１１１３は、外部機器から通知された情報（アプリ情報）をアプリ判定部１１１４へ通知する。表示装置と外部機器の通信の形態は特に問わず、Ｕ
ＳＢやＥｔｈｅｒなどとする。アプリ情報は、例えば、アプリ画像の表示位置、画像表示アプリの種類などを含む。アプリ画像は、画像表示アプリによって生成された画像である。
【００４６】
アプリ判定部１１１４は、表示する画像が変更処理を適用可能な画像か否かを判定する（処理判定）。本実施例では、アプリ判定部１１１４は、アプリ情報に含まれる画像表示アプリの種類に応じて、表示する画像が変更処理を適用可能な画像か否かを判定する。変更処理は、画像の表示色、表示輝度、及び、表示位置の少なくともいずれかを変更する処理である。本実施例では、変更処理は画像の表示輝度及び表示色を変更する処理であるものとする。
例えば、読影ビューアによる画像は、診断の結果に影響するため、表示輝度や表示色を変えることは望ましくない。そのため、実行されていた画像表示アプリが読影ビューアである場合には、アプリ判定部１１１４は、表示する画像が変更処理を適用可能な画像ではないと判定する。また、テキスト編集ツール等による画像は、表示輝度、表示色、表示位置を変えても問題はない。そのため、実行されていた画像表示アプリがテキスト編集ツールある場合には、アプリ判定部１１１４は、表示する画像が変更処理を適用可能な画像であると判定する。
アプリ判定部１１１４は、上記判定の結果を制御部１１１１へ通知する。
【００４７】
なお、アプリ判定部１１１４では、複数の画像表示アプリが実行されていた場合に、画像表示アプリ毎に、アプリ画像が変更処理を適用可能な画像か否かが判定されてもよい。その場合には、全ての画像表示アプリについてアプリ画像が変更処理を適用可能な画像であると判定された場合に、表示する画像が変更処理を適用可能な画像であると判定すればよい。また、アプリ画像が変更処理を適用可能な画像でないと判定された画像表示アプリが存在する場合に、表示する画像が変更処理を適用可能な画像でないと判定すればよい。そして、アプリ画像が変更処理を適用可能な画像でないと判定された画像表示アプリが存在する場合に、判定結果として当該アプリ画像の表示位置を含む情報が制御部１１１１に通知されてもよい。
【００４８】
なお、画像表示アプリの種類として、読影ビューア、テキスト編集ツールなどの種類が通知されてもよいし、アプリ画像が変更処理を適用可能な画像か否を表す情報が通知されてもよい。画像表示アプリの種類として、読影ビューア、テキスト編集ツールなどの種類が通知される場合には、画像表示アプリの種類と、アプリ画像が変更処理を適用可能な画像か否かの情報との対応関係を表すテーブルが予め用意されていればよい。上記テーブルを用いれば、画像表示アプリの種類から、アプリ画像が変更処理を適用可能な画像か否かを判定することができる。また、アプリ画像が変更処理を適用可能な画像か否かの情報が通知される場合には、当該情報から、アプリ画像が変更処理を適用可能な画像か否かを判定することができる。
なお、アプリ判定部１１１４の判定方法は上記方法に限らない。例えば、アプリ判定部１１１４は、ユーザ操作や入力画像信号の特徴量に応じて、表示する画像が変更処理を適用可能な画像か否かを判定してもよい。具体的には、ユーザが変更処理の実行を許可するか否かを設定してもよい。その場合には、アプリ判定部１１１４は、変更処理の実行が許可されている場合に、アプリ画像が変更処理を適用可能な画像であると判定し、変更処理の実行が許可されていない場合に、アプリ画像が変更処理を適用可能な画像でないと判定すればよい。
【００４９】
警告表示部１１１５は、制御部１１１１からの指示に応じてユーザへの警告を行う。本実施例では、対応する領域に表示される画像が所定の条件を満たす画像であると判定された駆動回路の温度上昇を抑制する抑制処理が開始されてから第２の所定時間、当該駆動回路に対応する領域に所定の条件を満たす画像が表示され続けた場合に、ユーザへの警告が
行われる。警告は、例えば、光、画像、音などによる警告である。光による警告は、例えば、ＬＥＤ（バックライトの光源ではないＬＥＤ）の点滅である。画像による警告は、例えば、ＧＵＩによるメッセージ表示である。音による警告は、例えば、所定のビープ音の発生である。
【００５０】
変更処理部１１１６は、制御部１１１１からの指示に応じて、表示する画像に対して表示色及び表示輝度を変更する変更処理を施す。表示色及び表示輝度の変更は、ガンマ値や色温度等を変更することにより変更される。本実施例では、駆動回路に対応する領域に所定の条件を満たす画像が第２の所定時間表示され続けたことにより警告が行われてから第４の所定時間、当該駆動回路に対応する領域に所定の条件を満たす画像が表示され続けた場合に、当該駆動回路の温度の上昇がさらに抑制されるように、表示する画像に対して、変更処理が施される。但し、アプリ判定部１１１４で表示する画像が変更処理を適用可能な画像でないと判定された場合には、変更処理部１１１６は、表示する画像に変更処理を施さない。
なお、本実施例では、表示する画像全体（入力画像信号で表される画像全体）の表示色と表示輝度が変更処理により変更されるものとする。
なお、変更処理を適用可能でないアプリ画像が存在する場合には、当該アプリ画像の領域以外の領域に対して変更処理が施されてもよい。
【００５１】
制御部１１１１の全体的な動作は実施例１（図４）と同じであるため、その説明は省略する。しかし、本実施例では、図４のＳ４０５の処理として、図１２に示す処理（抑制処理、警告指示処理、及び、変更指示処理）が行われる。以下では、図１２の処理について説明する。図１２は、１つの制御領域（所定の条件を満たす画像が表示されると判定された制御領域）に対する処理の一例を示すフローチャートである。
なお、以下で説明するように、本実施例では、第１の所定時間、第２の所定時間、第３の所定時間のカウントが行われる。制御部１１１１は、これらのカウント中にも画像信号解析部１１０からの通知を受信する。そして、処理対象の制御領域に所定の条件を満たす画像が表示され続けている場合には、制御部１１１１はカウントを続ける。処理対象の制御領域に所定の条件を満たす画像が表示されなくなった場合には、カウント値のリセット及びカウントの中断が行われ、Ｓ４０５の処理が終了される。
【００５２】
まず、制御部１１１１は、画像信号解析部１１１０からの通知内容に従って、第１の所定時間のカウントを行う（Ｓ１２０１）。
第１の所定時間のカウントが完了すると、制御部１１１１は、音声の出力が行われるか否かを判定する（Ｓ１２０２）。音声の出力が行われる場合には（Ｓ１２０１：Ｙｅｓ）、Ｓ１２０３に処理が進められる。音声の出力が行われない場合には（Ｓ１２０１：Ｎｏ）、Ｓ１２０４に処理が進められる。
Ｓ１２０３では、制御部１１１１は、処理対象の制御領域に対応する液晶駆動回路の温度上昇を抑制するために、当該制御領域における表示素子の透過率を低減する抑制処理を行う。また、このとき、制御部１１１１は、表示素子の透過率を低減したことによる画面の明るさの低下を補うようにバックライトの明るさを高める処理を行う。これらの処理の詳細は、実施例１で述べたとおりである。
Ｓ１２０４では、制御部１１１１は、処理対象の制御領域に対応する液晶駆動回路の温度上昇を抑制するために、当該液晶駆動回路に対応するファン１１０４の回転数を高める抑制処理を行う。この処理の詳細は、実施例１で述べたとおりである。
【００５３】
Ｓ１２０３又はＳ１２０４の次に、制御部１１１１は、第２の所定時間のカウントを行う（Ｓ１２０５）。
第２の所定時間のカウントが完了すると（即ち、抑制処理が開始されてから第２の所定時間、処理対象の制御領域に所定の条件を満たす画像が表示され続けた場合）、制御部１
１１１は、警告指示処理を行う（Ｓ１２０６）。具体的には、制御部１１１１は、警告指示処理として、警告の実行を警告表示部１１１５に指示する処理を行う。警告指示処理が行われると、警告表示部１１１５によりユーザへの警告が行われる。
抑制処理が開始されてから第２の所定時間、処理対象の制御領域に所定の条件を満たす画像が表示され続けた場合、当該制御領域に対応する液晶駆動回路の温度上昇が続いていると考えられる。温度上昇が続いた場合、液晶駆動回路の温度が高温となり、液晶駆動回路が誤作動したり故障したりする虞がある。液晶駆動回路の温度が高温となることをユーザに知らせるために、本実施例ではこのような警告を行う。
【００５４】
そして、制御部１１１１は、アプリ判定部１１１４の判定結果から、表示する画像が変更処理を適用可能な画像か否かを判断する（Ｓ１２０７）。表示する画像が変更処理を適用可能な画像である場合には、制御部１１１１は、第４の所定時間のカウントを行う（Ｓ１２０８）。表示する画像が変更処理を適用可能な画像でない場合には、本フローが終了される。
第４の所定時間のカウントが完了すると（即ち、警告が行われてから第４の所定時間、処理対象の制御領域に所定の条件を満たす画像が表示され続けた場合）、制御部１１１１は、変更指示処理を行う（Ｓ１２０９）。具体的には、制御部１１１１は、変更指示処理として、変更処理の実行を変更処理部１１１６に指示する処理を行う。変更指示処理が行われると、変更処理部１１１６により変更処理が行われる。変更処理を行うことで、表示する画像の見た目は変化するが、処理対象の制御領域に対応する駆動回路の温度上昇をさらに抑制することができる。
警告が行われてから第４の所定時間、処理対象の制御領域に所定の条件を満たす画像が表示され続けた場合、当該制御領域に対応する液晶駆動回路の温度上昇がさらに続いていると考えられる。液晶駆動回路の温度が高温となることを抑制するために、本実施例ではこのような変更処理を行う。
【００５５】
以上述べたように、本実施例によれば、表示装置の状態に応じて、実行する抑制処理が選択される。それにより、表示装置の使用方法を妨げることなく実施例１と同様の効果を得ることができ、表示装置の信頼性を高めることができる。具体的には、音声の出力が行われる場合には、ファンの回転数を高める抑制処理ではなく表示素子の透過率を低減する抑制処理が行われる。それにより、ファンから発せられる音が音声を妨害することを抑制することができる。
また、本実施例によれば、ユーザへの警告や変更処理が行われる。それにより、実施例１よりも確実に、駆動回路の温度上昇（所定の条件を満たす画像の表示による温度上昇）を抑制することができ、表示装置の信頼性を高めることができる。
【００５６】
なお、本実施例では、音声の有無による抑制処理の切り替え、ユーザへの警告、変更処理の全てを行う構成としたが、これに限らない。例えば、実施例１の構成に、ユーザへの警告を行う機能、変更処理を行う機能、またはその両方を付加してもよい。実施例２の構成から変更処理を行う機能を除外してもよい。
実施例２の構成から警告を行う機能を除外してもよい。具体的には、対応する領域に表示される画像が所定の条件を満たす画像であると判定された駆動回路の温度上昇を抑制する抑制処理が開始されてから第３の所定時間、当該駆動回路に対応する領域に所定の条件を満たす画像が表示され続けた場合に、当該駆動回路の温度の上昇がさらに抑制されるように、表示する画像に対して変更処理が施されてもよい。
【００５７】
なお、本実施例では、変更処理により、表示する画像全体の表示色と表示輝度を変更する構成としたが、変更処理はこれに限らない。例えば、変更処理により、表示する画像の表示位置（表示する画像全体の表示位置や表示する画像に含まれるアプリ画像の表示位置）が変更されてもよい。また、変更処理により、アプリ画像の表示色、表示輝度、及び、
表示位置の少なくともいずれかが変更されてもよい。変更処理により、アプリ画像の表示色、表示輝度、及び、表示位置の少なくともいずれかが変更される場合には、アプリ画像（画像表示アプリ）毎に優先度を設定し、優先度の高いアプリ画像から順番に変更処理が施されてもよい。
【００５８】
なお、第１の所定時間〜第４の所定時間は、互いに等しくてもよいし、異なっていてもよい。
【符号の説明】
【００５９】
１０１，１１０１  表示装置
１０６，１１０６  液晶駆動回路
１０７，１１０７  液晶パネル
１０８，１１０８  バックライト
１１０，１１１０  画像信号解析部
１１１，１１１１  制御部
【図１】
2014109618.tif 000003
【図２】
2014109618.tif 000004
【図３】
2014109618.tif 000005
【図４】
2014109618.tif 000006
【図５】
2014109618.tif 000007
【図６】
2014109618.tif 000008
【図７】
2014109618.tif 000009
【図８】
2014109618.tif 000010
【図９】
2014109618.tif 000011
【図１０】
2014109618.tif 000012
【図１１】
2014109618.tif 000013
【図１２】
2014109618.tif 000014